(57)【要約】【課題】利便性を向上できる薬液用包装体を提供することを目的とする。【解決手段】上面に開口部１０ａを有して薬液が充填される薬液収容部１０と、開口部１０ａの周縁から外周方向に延びる延設部１３と、延設部１３に固着して開口部１０ａを塞ぐとともに開口部１０ａに厚み方向の一部を切断した切込線２１を有する蓋部２０と、蓋部２０の切込線２１上に配されるとともに薬液を吸収できる吸収体３０と、延設部１３から起立する周壁１２ａを有して吸収体３０を収納する吸収体収容部１２と、吸収体収容部１２を封止する封止部５０とを備え、薬液収容部１０を押圧した際に薬液収容部１０の内圧の上昇により蓋部２０の切込線２１が厚み方向に貫通して吸収体に薬液が吸収される。【選択図】図４
2013189221.tif 000002
【特許請求の範囲】
【請求項１】
上面に開口部を有して薬液が充填される薬液収容部と、前記開口部の周縁から外周方向に延びる延設部と、前記延設部に固着して前記開口部を塞ぐとともに前記開口部上に厚み方向の一部を切断した切込線を有する蓋部と、前記蓋部の前記切込線上に配されるとともに薬液を吸収できる吸収体と、前記延設部から起立する周壁を有して前記吸収体を収容する吸収体収容部と、前記吸収体収容部を封止する封止部とを備え、前記薬液収容部を押圧した際に前記薬液収容部の内圧の上昇により前記蓋部の前記切込線が厚み方向に貫通して前記吸収体に薬液が吸収されることを特徴とする薬液用包装体。
【請求項２】
前記吸収体が圧縮して前記吸収体収容部内に封止されることを特徴とする請求項１に記載の薬液用包装体。
【請求項３】
前記吸収体収容部の前記周壁に前記吸収体を係止する係止部を設けたことを特徴とする請求項１又は請求項２に記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される薬液収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は脱脂綿に薬液を吸収した綿棒を取り出す作業を行って薬液を塗布する。加えて、薬液収容部の開封時に薬液が零れる場合や綿棒に吸収されずに包装体に残る薬液が零れる場合がある。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用包装体であって、上面に開口部を有して薬液が充填される薬液収容部と、前記開口部の周縁から外周方向に延びる延設部と、前記延設部に固着して前記開口部を塞ぐとともに前記開口部上に厚み方向の一部を切断した切込線を有する蓋部と、前記蓋部の前記切込線上に配されるとともに薬液を吸収できる吸収体と、前記延設部から起立する周壁を有して前記吸収体を収容する吸収体収容部と、前記吸収体収容部を封止する封止部とを備え、前記薬液収容部を押圧した際に前記薬液収容部の内圧の上昇により前記蓋部の前記切込線が厚み方向に貫通して前記吸収体に薬液が吸収されることを特徴としている。
【０００７】
この構成によると、吸収体収容部を開封した後、薬液収容部を例えば使用者の親指と人差し指により摘持して押圧すると、蓋部が切込線を起点に開口する。これにより、薬液収容部内の薬液が開口部から流出して切込線上に配される吸収体に吸収される。使用者は薬液収容部を手指で摘持して吸収体により薬液を塗布する。なお、薬液収容部を押圧して薬液を吸収体に染み込ませた後、吸収体収容部を開封してもよい。これにより、薬液を塗布する直前まで吸収体を無菌状態に保つことができる。
【０００８】
また本発明は、上記構成の包装体において、前記吸収体が圧縮して前記吸収体収容部内に封止されることを特徴としている。この構成によると、前記吸収体収容部を開封すると吸収体が膨らんで周壁の上部に突出する。これにより、薬液を塗布する際、作業性を高めることができる。
【０００９】
また本発明は、上記構成の包装体において、前記吸収体収容部の前記周壁に前記吸収体を係止する係止部を設けたことを特徴としている。この構成によると、吸収体が周壁内部に係止されて薬液を患部に塗布する際に、吸収体が吸収体収容部から外れるのを防ぐことができる。
【発明の効果】
【００１０】
本発明によると、封止部で封止される吸収体収容部に収容した吸収体を薬液収納部の蓋部に設けた切込線上に配し、薬液収容部の押圧により切込線が貫通して薬液が吸収体に吸収される。これにより、薬液収容部を摘持した状態で薬液を塗布することができ、薬液収容部を開封する動作と薬液を塗布する動作とを一体的に連続して行うことができる。また、切込線上に吸収体が配されるため薬液収容部が吸収体により塞がれ、薬液を零さずに包装体を使用することができる。従って、使用者の利便性を向上することができる。
【図面の簡単な説明】
【００１１】
【図１】本発明の実施形態に係る包装体の分解斜視図
【図２】本発明の実施形態に係る包装体の断面図
【図３】本発明の実施形態に係る蓋部の層構成を示す概略断面図
【図４】本発明の実施形態に係る包装体の使用状態を示す斜視図
【発明を実施するための形態】
【００１２】
以下に本発明の実施形態を図面を参照して説明する。図１は一実施形態の薬液用の包装体の分解斜視図であり、図２は包装体の断面図である。
【００１３】
包装体１は薬液４０が充填される薬液収容部１０上に吸収体３０を収容する吸収体収容部１２が配される。薬液収容部１０は上面に開口部１０ａを有し、開口部１０ａの周縁から外周方向に延びる延設部１３に固着された蓋部２０により開口部１０ａが塞がれる。延設部１３により吸収体収容部１２の底面が形成される。吸収体収容部１２は上面を開口し、封止部５０により封止される。
【００１４】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１５】
薬液収容部１０と吸収体収容部１２は樹脂フィルムにより一体に成形される。薬液収容部１２は延設部１３から起立する周壁１２ａを有し、周壁１２ａの上端が樹脂フィルムからなる封止部５０により覆われる。また、周壁１２ａ内部には吸収体３０を係止する係止部１４が設けられている。係止部１４は薬液４０を患部に塗布する際に、吸収体３０が吸収体収容部１２から外れるのを防ぎ、作業性を高めることができる。
【００１６】
薬液収容部１０、吸収体収容部１２を構成する樹脂フィルムとしては、例えば、ポリエチレン、ポリプロピレン、塩化ビニルとポリスチレンとポリエチレンテレフタレートの少なくとも一を含む積層体等を任意に選択して使用することができる。
【００１７】
薬液収容部１０、吸収体収容部１２の積層体からなる樹脂フィルムとして、例えば、ポリプロピレン／未延伸ナイロン／ポリエチレン、ポリプロピレン／未延伸ナイロン／ポリプロピレン、ポリエチレンテレフタレート／未延伸ナイロン／エチレン−ビニルアルコール共重合体／ポリプロピレンなどからなる共押フィルムが使用できる。なお、ポリエチレンやポリプロピレンは熱によって溶融して対向する蓋部２０に融着して熱接着し得る。
【００１８】
蓋部２０は樹脂フィルムにより形成され、熱接着される。蓋部２０によって薬液収容部１０が密封され、薬液４０が薬液収容部１０内部に封入される。
【００１９】
また、蓋部２０は開口部１０ａ上に切込線２１が形成される。切込線２１は蓋部２０を厚み方向の一部を切断してハーフカット状の切込みとして形成される。このとき、後述する基材層６１を厚み方向に所定深さで切断してもよいし、中間層のみを厚み方向に所定深さで切断してもよい。薬液収容部１０の内圧が上昇すると、切込線２１の両側方が引っ張られて蓋部２０の切込線２１が厚み方向に貫通して蓋部２０が開口するようになっている。なお、切込線２１はミシン目状に設けてもよいし、連続した切線として形成してもよい。
【００２０】
図３は蓋部２０の断面図を示している。蓋部２０は少なくとも基材層６１と最内層となる熱接着性樹脂層６３とを備えており、基材層６１と熱接着性樹脂層６３との間には中間層（不図示）を設けてもよい。
【００２１】
基材層６１は包装体１に高い密封性、耐突き刺し（耐ピンホール）性、品質保全性、衛生性等を付与するものである。基材層６１としては、未延伸ナイロン、ポリエチレンテレフタレート、ポリエチレンナフタレート等の公知の樹脂を任意に選択することができ、単層または多層にして使用することができる。
【００２２】
中間層（不図示）は、例えば、外部から収納部１０の内部に水蒸気や酸素が浸入することを防止して収容部１０に収納される薬剤４０の劣化を防止するために設けられる。中間層としては、例えば、エチレン−ビニルアルコール共重合体、アルミニウム、ニッケルなどの金属、又は、無機化合物、例えば、酸化珪素、アルミナ等を蒸着したフィルムなどが挙げられる。
【００２３】
熱接着性樹脂層６３は熱によって溶融して対向する延設部１３の表層と融着して熱接着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２４】
蓋部２０の樹脂フィルムとして好ましくは、ポリエチレンテレフタレート／ポリエチレン／ポリエチレンで構成される積層体、ポリエチレンテレフタレート／ドライラミネート用接着剤／エチレン−ビニルアルコール共重合体／ポリエチレンで構成される積層体、ポリエチレンテレフタレート／ポリエチレン／未延伸ポリプロピレンで構成される積層体を使用することができる。
【００２５】
なお、蓋部２０に用いられる樹脂フィルムは薬液収容部１０、吸収体収容部１２を構成する樹脂フィルムの種類に応じて選択する。蓋部２０に蓋部２０にポリエチレンテレフタレート／ポリエチレン／ポリエチレンで構成される積層体又はポリエチレンテレフタレート／ドライラミネート用接着剤／エチレン−ビニルアルコール共重合体／ポリエチレンで構成される積層体を用いる場合、薬液収容部１０、吸収体収容部１２にはポリプロピレン／未延伸ナイロン／ポリエチレン、ポリプロピレン／未延伸ナイロン／ポリプロピレン、ポリエチレンテレフタレート／未延伸ナイロン／エチレン−ビニルアルコール共重合体／ポリプロピレンなどからなる共押フィルムを用いる。この組み合わせによると、包装体１は耐衝撃性に優れ、輸送中に薬液収容部１０が破断するのを防止することができる。また、中間層であるエチレン−ビニルアルコール共重合体を介在させることにより、薬液収容部１０の内部の気密性が高まる。
【００２６】
また、蓋部２０にポリエチレンテレフタレート／ポリエチレン／未延伸ポリプロピレンを用いる場合、薬液収容部１０、吸収体収容部１２には未延伸のポリプロピレンフィルムを用いることが好ましい。この組み合わせによると、未延伸のポリプロピレン同士がヒートシールにより、高い接着強度で熱接着する。このため、高い気密性を保持しながら薬液４０を薬液収容部１０の内部に密封することができる。
【００２７】
なお、吸収体収容部１２を封止する封止部５０も蓋部２０と同一の樹脂フィルムにより構成することができる。封止部５０は吸収体収容部１２の周壁１２ａの上端に熱接着され、吸収体収容部１２内部に吸収体３０を圧縮した状態で封止する。これにより、吸収体収容部１２を開封したとき、吸収体３０が膨らんで周壁１２ａの上部に突出する。したがって、薬液を塗布する際、作業性を高めることができる。なお、封止部５０には最外層に印刷層を設けてもよい。
【００２８】
蓋部２０の切込線２１上には吸収体３０が配される。吸収体３０は薬剤４０を吸収できる材質を有し、開口部１０ａを覆うように配される。なお、蓋部２０と吸収体３０とをホットメルト接着剤（不図示）を介して接着してもよい。これにより、吸収体３０が吸収体収容部１２の内部に固着されて薬液４０を患部に塗布する際に、吸収体３０が吸収体収容部１２から外れるのを防ぐことができる。なお、ホットメルト接着剤以外に各種接着剤を用いてもよい。
【００２９】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。なお、吸収体３０は薬剤を吸収して膨張する高分子を含ませてもよい。これにより、薬液４０を吸収した高分子を含む吸収体３０が周壁１２ａの外部により突出し、薬液を塗布する際の作業性を更に高めることができる。
【００３０】
図４は包装体１の使用状態を示す斜視図である。吸収体収容部１２を開封した後、薬液収容部１０を例えば使用者の親指と人差し指で摘持して押圧する。これにより、薬液収容部１０の内圧が上昇し、切込線２１を起点として切込線２１が厚み方向に貫通して蓋部２０が開口し、薬液収容部１０が開封される。蓋部２０の破断によって開口部１０ａから薬液４０が流出し、切込線上２１に配される吸収体３０に吸収される。なお、薬液収容部１０を押圧して薬液４０を吸収体３０に染み込ませた後、吸収体収容部１２を開封してもよい。これにより、薬液４０を塗布する直前まで吸収体３０を無菌状態に保つことができる。
【００３１】
使用者は図４に示すように薬液収容部１０を摘持した状態で吸収体３０により薬液４０を患部に塗布する。これにより、薬液収容部１０を開封する動作と薬液４０を塗布する動作とを一体的に連続して行うことができる。また、切込線２１上に吸収体３０が配されるため薬液収容部１０が吸収体３０により塞がれ、薬液４０を零さずに包装体１を使用することができる。
【００３２】
本実施形態によると、薬液４０を充填した薬液収容部１０から延びる延設部１３に固着される蓋部２０により薬液収容部１０が塞がれ、蓋部２０に設けた切込線２１上に吸収体３０を配し、薬液収容部１０を押圧した際に内圧が上昇して蓋部２０の切込線２１が厚み方向に貫通して蓋部２０が開口し、薬液４０が吸収体３０に吸収される。これにより、薬液収容部１０を摘持した状態で薬液４０を塗布することができ、薬液収容部１０を開封する動作と薬液４０を塗布する動作とを一体的に連続して行うことができる。また、切込線２１上に吸収体３０が配されるため薬液収容部１０が吸収体３０により塞がれ、薬液４０を零さずに包装体１を使用することができる。従って、使用者の利便性を向上することができる。
【００３３】
また、吸収体３０を圧縮して吸収体収容部１２に封止することにより、吸収体収容部１２を開封すると吸収体３０が膨らんで周壁１２ａの上部に突出する。これにより、薬液を塗布する作業性を高めることができる。
【００３４】
また、周壁１２ａに係止部１４が設けられ、係止部１４により吸収体３０が周壁１２ａ内部に係止される。これにより、薬液４０を患部に塗布する際に、吸収体３０が包装体１から外れるのを防ぎ、作業性を高めることができる。
【産業上の利用可能性】
【００３５】
本発明は、例えば、医薬品を包装する包装体に利用可能である。
【符号の説明】
【００３６】
１                包装体
１０              薬液収容部
１０ａ            開口部
１２              吸収体収容部
１２ａ            周壁
１３              延設部
１４              係止部
２０              蓋部
２１              切込線
３０              吸収体
５０              封止部
６１              基材層
６３              熱接着性樹脂層
【図１】
2013189221.tif 000003
【図２】
2013189221.tif 000004
【図３】
2013189221.tif 000005
【図４】
2013189221.tif 000006